(57)【要約】【課題】捕虫シートは、蓄光材からなるため効率よく虫を集める。更に、粘着面があるため捕虫し、捕虫シートでの害虫の捕捉効率を上昇させる。捕虫シート保持器具２０１は、様々の場所に設置することができ、且つ、捕虫シートの周囲に配置される配置物の損傷を防ぐ。【解決手段】  捕虫シート保持器具２０１は、可撓性及び弾力性を有しシート状をなし、少なくとも一方の面に粘着剤及び蓄光材が塗布された捕虫シート１０１の両端部を引っ掛けて、前記捕虫シートを伸長した状態のままで保持する一対の引掛部２０２Ｃを備える。【選択図】図１
2016077231.tif 000002
【特許請求の範囲】
【請求項１】
少なくとも一方の面に粘着剤が塗布され、また、少なくとも一方の面に蓄光材が塗布されるか、あるいは蓄光材で形成された捕虫シートの両端部を引っ掛けて、前記捕虫シートを伸長した状態のままで保持する一対の引掛部を備えるとともに、取付対象への吸着可能な取付部品が設けられる捕虫シート保持器具。
【請求項２】
可撓性及び弾力性を有しシート状をなし、少なくとも一方の面に粘着剤が塗布され、また、少なくとも一方の面に蓄光材が塗布されるか、あるいは蓄光材で形成された捕虫シートの両端部を引っ掛けて、前記捕虫シートを伸長した状態のままで保持する一対の引掛部を備えるとともに、取付対象への吸着可能な取付部品が設けられる捕虫シート保持器具。
【請求項３】
少なくとも一方の面に粘着剤が塗布され、また、少なくとも一方の面に蓄光材が塗布されるか、あるいは蓄光材で形成された捕虫シートの両端部を引っ掛けられて、伸長した状態のままで保持される捕虫シート。
【請求項４】
可撓性及び弾力性を有しシート状をなし、少なくとも一方の面に粘着剤が塗布され、また、少なくとも一方の面に蓄光材が塗布されるか、あるいは蓄光材で形成された捕虫シートの両端部を引っ掛けられて、伸長した状態のままで保持される捕虫シート。
【発明の詳細な説明】
【技術分野】
【０００１】
本発明は、害虫を捕獲するための捕虫器、及び捕虫シートに関する。
【背景技術】
【０００２】
特許文献１には、色相誘引効果を利用して栽培ハウス内での飛翔害虫の発生状況を適確に察知することに用いられ、その発生状況に応じた適切な農薬散布のもとでハウス栽培を行うことを可能にするとされる飛翔害虫誘引捕獲粘着シ−ト材の発明が開示されている。
特許文献１には、「本発明に係る飛翔害虫誘引捕獲粘着シ−ト材は、栽培ハウス内での飛翔害虫の粘着捕獲に使用される。本発明に係る飛翔害虫誘引捕獲粘着シ−ト材を使用するにあたっては、セパレ−タ−を上端部セパレ−タ−片を残して剥離し、吊支用孔にフックを掛け、図３に示すように、そのフック４をハウス内支柱、例えばトマト幹補強パイプの上端間横棒５に吊支して栽培ハウス内に設置する。」との記載がある（同文献の段落００１０及び図３参照）。
【０００３】
特許文献２には、害虫の捕獲性能（捕獲性）及び使い勝手に優れるとともに、製造が簡易で、低コストかつ低環境負荷であるとされる害虫捕獲器の発明が開示されている。特許文献２に記載の害虫捕獲器１０は、容器１と、害虫を捕捉可能な捕捉部材２（透明粘着剤層２１）と、容器１を所定の場所に固定可能な固定部材３（棒状体形状の支柱）とを備えて構成される（同文献の段落００１０、００３９）。特許文献２には、容器１が「害虫が内部に侵入可能な複数の開口部１１ｂ及び細長部１１ａを有する中空球状の本体部１１、並びに本体部１１の上下端に配設された頂部１２及び底部１３を有する」ものである旨が記載され、更に、「複数の開口部１１ｂは、頂部１２及び底部１３間をその経度方向に延伸する笹の葉又は柳の葉形状のスリットであることが好ましく（…）、複数本の細長部１１ａは、スリット１１ｂを介して頂部１２及び底部１３間をその経度方向に延伸、並列する複数本（図１においては１０本）の細帯部であることが好ましく（…）、従って、容器１の形状は、提灯型形状であることが好ましい。」との記載がある（同文献の段落００２５、図１及び図２参照）。
更に、切り込みシート４についての記載図示がある（同文献図２）。
【０００４】
引用文献３は、出願人の提案に係るものであって、「捕虫シートでの害虫の捕捉効率を上昇させ、且つ、捕虫シートの周囲に配置される配置物の損傷を防ぐ。」課題を有し、「捕虫シート１０１は、可撓性及び弾力性を有し、シート状をなしていて、少なくとも一方の面に粘着剤が塗布されている。この捕虫シート１０１には、切目１０３が設けられて、伸長可能となっている。捕虫シート１０１は、伸長された状態で、その両端部が捕虫シート保持器具２０１に設けられる一対の引掛部２０２Ｃのそれぞれに引っ掛けられる。」、解決手段からなる（引用文献３「要約」）。
【０００５】
引用文献４記載の「害虫捕獲装置」は、「交流電源を必要とせず、持ち運びができ、農作地の任意な場所に簡単に設置できるとともに、補虫効果の高い簡易な害虫捕獲装置を提供する。」ものであって（引用文献４「要約」）、「電源部１１０は頂部に太陽電池セル１１２を有し、発光部１２０は前記電源部１１０から電源の供給を受けてその側面方向に向けて発光し、捕獲ユニット３０は発光部１２０を覆うほぼ円筒形で透明な捕獲ユニット本体３２と前記捕獲ユニット本体３２の側面に巻き回された有色半透明の害虫捕獲用粘着部材３４とを有し、蓄光部材４０は電源部１１０または支柱２０に巻き回されている」ものである（引用文献４「要約・解決手段」）。
【０００６】
引用文献５記載の「立体型捕虫器」は、「設置した場所の床面が垂下した粘着剤や落下した飛翔害虫で汚れるのを防止し、また、飛翔害虫の捕獲性能を向上させる。」他のものであって、「飛翔害虫を捕獲するための粘着部材２の全周を、天井部分４と、底部分５と、蓄光テープ６ａから成る側壁部分６とで構成されたカバー３で囲み、前記蓄光テープ６ａ間に飛翔害虫が侵入可能な侵入部８となる隙間８ａを設けて立体型捕虫器１を形成する。」からなる（引用文献５「要約」）。
【０００７】
引用文献６記載の「捕虫器」は、「捕虫器の設置する場所の明るさに影響されることなく飛翔害虫を捕獲することを可能とする。」ものであって、「表面に飛翔害虫が好む色彩を施したプレート状部材２の片面又は両面に粘着剤を塗布して透明な粘着層１１を形成するとともに、この粘着層１１の表面と同方向に位置する保持部材２５の架橋部２７の面に蓄光材を塗布し若しくは蓄光部材を配することで、明るい場所では飛翔害虫が好む色彩を利用して飛翔害虫を誘引し、暗い場所では架橋部２７に塗布された蓄光材又は架橋部２７に配された蓄光部材の発光を利用して飛翔害虫を誘引する。」ものである（引用文献６「要約」）。
【０００８】
引用文献７記載の「飛翔昆虫捕獲具」は、「色々な性向を持つ虫に対応して捕獲でき、且つ設置場所に合わせた椀状、平板状などで吊下げ使用することのできる安価で公害のないハエ、羽アリ等の飛翔昆虫捕獲具を提供する。」ものであって、「一枚の表面が黄色で、クモの巣状の線画１１と・・・且つ粘着剤Ａが塗布された板紙から、折目１３，１３’などで椀状等所定形状に折曲げられた捕獲シ−ト１の両側の折曲げ重合部の孔に、プラスチック製の紐状の吊下具２の両端部を装着して、折り曲げたシート１の中央に匂いの発生する虫誘引用物質のペレットと夜間光により虫を誘引する蓄光剤ペレットよりなる誘引剤３を配置して、蛍光灯などに吊下げ使用するようにする。」等からなる（引用文献７「要約」）。
【先行技術文献】
【特許文献】
【０００９】
【特許文献１】特開平１１−０３２６４８号公報
【特許文献２】特開２００９−０３４０５４号公報
【特許文献３】特開２０１３−１３２２５３号公報
【特許文献４】実用新案登録３１８４７２９号公報
【特許文献５】特開２００２−１５６号公報
【特許文献６】特開２００２−２７８８９号公報
【特許文献７】特開２００４−２６１１０６号公報
【発明の概要】
【発明が解決しようとする課題】
【００１０】
特許文献１に記載の飛翔害虫誘引捕獲粘着シ−ト材を同文献の図３に示されるように吊るして使用した場合、この飛翔害虫誘引捕獲粘着シ−ト材は、風を受けると揺れて風が流れ行く方向に向かって靡く。このため、飛翔害虫誘引捕獲粘着シ−ト材は、風に沿って移動することの多い飛翔害虫を捕捉しにくい。また、この飛翔害虫誘引捕獲粘着シ−ト材は平坦な形状をなしていて、野菜、果実、花卉等の植物（特許文献１では、トマト）が栽培される栽培空間に配置されると、植物の葉や幹、花、果実等に付着しやすい。
【００１１】
特許文献２に記載の害虫捕獲器１０は、同文献の図２に示される切込み入りシート４を切り込み４１の延びる方向（同文献の図１及び図２での縦方向）に縮めることで、球形の提灯形状になす。即ち、この害虫捕獲器１０は、切込み入りシート４と比較して、小さく纏まった形状をなしている。このため、害虫を害虫捕獲器１０に捕捉する際の捕捉効率は、切り込み入りシート４に切り込み４１を入れずシート状にしたままのものを設置した場合よりも低下する。
【００１２】
なお、発明者は、捕虫シートを植物の葉を模した形状とすることで、害虫の捕捉効率が上昇するという知見を得ている。しかしながら、捕虫シートを、植物の葉のように見える複雑な輪郭を有し、且つ、葉のような立体的な凹凸形状をなすように加工することは、非常に手間がかかり、また、加工後にその形を維持し続けることにも大きな困難が伴う。
【００１３】
特許文献３記載発明は、蓄光材を使用して捕虫を図るものでは無い。特許文献４乃至７記載発明は、蓄光材を使用して捕虫を図るものではあるが、大掛かりとなる課題を有した。
【００１４】
本発明は、上記の点を鑑みてなされたものであり、捕虫シートでの害虫の捕捉効率を上昇させ、且つ、捕虫シートの周囲に配置される配置物の損傷を防ぎ、捕虫器は様々の場所に設置することができることを目的とする。
【課題を解決するための手段】
【００１５】
本発明の捕虫シート保持器具は、少なくとも一方の面に粘着剤が塗布され、また、少なくとも一方の面に蓄光材が塗布されるか、あるいは蓄光材で形成された捕虫シートの両端部を引っ掛けて、前記捕虫シートを伸長した状態のままで保持する一対の引掛部を備えるとともに、取付対象への吸着可能な取付部品が設けられる。
【００１６】
本発明の捕虫シート保持器具は、可撓性及び弾力性を有しシート状をなし、少なくとも一方の面に粘着剤が塗布され、また、少なくとも一方の面に蓄光材が塗布されるか、あるいは蓄光材で形成された捕虫シートの両端部を引っ掛けて、前記捕虫シートを伸長した状態のままで保持する一対の引掛部を備えるとともに、取付対象への吸着可能な取付部品が設けられる。
【００１７】
本発明の捕虫シートは、少なくとも一方の面に粘着剤が塗布され、また、少なくとも一方の面に蓄光材が塗布されるか、あるいは蓄光材で形成された捕虫シートの両端部を引っ掛けられて、伸長した状態のままで保持される。
【００１８】
本発明の捕虫シートは、可撓性及び弾力性を有しシート状をなし、少なくとも一方の面に粘着剤が塗布され、また、少なくとも一方の面に蓄光材が塗布されるか、あるいは蓄光材で形成された捕虫シートの両端部を引っ掛けられて、伸長した状態のままで保持される。更に、捕虫シートの周囲に配置される配置物の損傷を防ぐ。
【発明の効果】
【００１９】
本発明によれば、捕虫シートが伸長された状態で捕虫シート保持器具に保持され、捕虫シートの両端部が引掛部に引っ掛けられて固定され、捕虫シートでの害虫の捕捉効率を上昇させ、捕虫器は様々の場所に設置することができる。捕虫シートは、蓄光材からなるため効率よく虫を集め、粘着面があるため捕虫する。
【図面の簡単な説明】
【００２０】
【図１】捕虫シートを保持した状態での捕虫シート保持器具の斜視図である。
【図２】捕虫シートを保持した状態での捕虫シート保持器具の正面図である。
【図３】捕虫シートを保持した状態での捕虫シート保持器具の側面図である。
【図４】捕虫シートを保持した状態での捕虫シート保持器具の底面図である。
【図５】捕虫シートの正面図である。
【発明を実施するための形態】
【００２１】
実施の一形態を、図１ないし図５に基づいて説明する。図１は、捕虫シート１０１を保持した状態での捕虫シート保持器具２０１の斜視図である。図２は、捕虫シート保持器具２０１の正面図である。
捕虫シート保持器具２０１は、樹脂成形にて形成されて適度な弾力を有する。捕虫シート保持器具２０１は、全体として弓型をなし、基部２０２Ａと、腕部２０２Ｂと、一対の引掛部２０２Ｃとからなる。
【００２２】
捕虫シート保持器具２０１の中央部に位置する基部２０２Ａは、長尺状をなしている。本実施の形態では、基部２０２Ａは直線状をなしているが、この基部２０２Ａを円弧状や波形状、ジグザグ形状等にすることもできる。
捕虫シート保持器具２０１の基部２０２Ａの略中央箇所からは、取付対象への吸着可能な取付部品としての吸盤２１１を着脱自在に装着可能な、部品装着部２０３を設ける。吸盤２１１は、壁面に吸着されるドーム状の吸着部２１２と、吸着部２１２の頂部から突出する装着部用筒部２１３とを有する。捕虫シート保持器具２０１の部品装着部２０３には、吸盤２１１の装着部用筒部２１３を装着することができ、捕虫シート保持器具２０１に吸盤２１１を装着する。
【００２３】
腕部２０２Ｂは、基部２０２Ａ中の二箇所から延びる。本実施の形態では、腕部２０２Ｂは、基部２０２Ａの両端から、部品装着部２０３が突出する方向とは直角の方向に延びる。腕部２０２Ｂは、基部２０２Ａから延長する方向に延び、続いて部品装着部２０３の突出する方向とは反対側に円弧状に曲がる形状をなしている。これにより、本実施の形態では、捕虫シート保持器具２０１の全体が、ハンガー状をなしている。
【００２４】
ここで、腕部２０２Ｂを、基部２０２Ａの端部よりも中央寄りの箇所から延ばすようにしても良い。また、腕部２０２Ｂを、基部２０２Ａの端部から基部２０２Ａと直交する方向に直線状又は曲線状に延ばすようにしてもよい。また、腕部２０２Ｂを、基部２０２Ａの延長方向とこれに直交する方向との間の斜め方向に直線状又は曲線状に延ばすようにしてもよい。さらに、腕部２０２Ｂとして、これ以外の形状も採用してもよい。また、前述の部品装着部２０３は、腕部２０２Ｂに設けられても良い。
【００２５】
一対の引掛部２０２Ｃは、いずれも、フック状をなし、腕部２０２Ｂにおける基部２０２Ａとは反対側の端部に設けられる。一対の引掛部２０２Ｃは、それぞれの腕部２０２Ｂの端の近傍位置から互いに対面する箇所に設けられ、互いに近づくように基部２０２Ａに概ね平行に延びてもよい。引掛部２０２Ｃには、捕虫シート１０１の引掛孔１０４を引っ掛けることができる。
【００２６】
図５は、捕虫シート１０１の正面図である。捕虫シート１０１は、図５に示すような、平面視長尺の矩形に見える平坦なシート形状をなしている。なお、捕虫シート１０１は、その全体として、長尺矩形以外の形状に形成されてもよい。
【００２７】
捕虫シート１０１は、可撓性及び弾力性を有するシート状の基材の少なくとも一方の面、好ましくは両面に、全面にわたり、害虫を補足するための粘着剤を塗布して形成される。粘着剤は、透明なものが好ましい。
シート状の基材には、例えば、ポリプロピレン等により作られるプラスチックフィルムを採用することができる。捕虫シート１０１としては、各種紙類、ポリエステル、ポリウレタン、ポリ塩化ビニル、ポリ塩化ビニリデン、ナイロン、アクリル、ポリカーボネート、ポリアセタール、フェノール、エポキシ等のプラスチック、エチレンビニルアルコール共重合体樹脂、ポリビニルアルコール等またはこれらを２種以上混合した混合プラスチックのプレートもしくはシート、またはそれら同種、もしくは異種のプレートやシートを積層した材料も使用可能である。
また、基材の色には、例えば、黄色蛍光色や透明を採用することができる。
【００２８】
捕虫シート１０１は、粘着剤が表面全面に塗布される。捕虫シート１０１に使用する粘着剤としては、合成粘着剤、天然粘着剤が有効である。合成粘着剤としては、アクリル系粘着剤、ポリブテン系粘着剤、ポリイソブチレン、スチレン−ブタジエンゴム粘着剤、ブチルゴム、クロロブレンゴム、塩ビ−酢ビ共重合体、塩化ゴム、ポリビニルブチラールなどが用いられる。天然粘着剤としては、天然ゴム、ゼラチンなどが用いられる。
【００２９】
更に、粘着剤に、各種の添加剤、誘引剤を併用しても良く、これらとしては、例えば、特開２００２−０３７７０８「ハエの誘引剤」記載の「殺菌剤、殺黴剤、保存剤、酸化防止剤、紫外線防止剤、展着剤、キレート剤、増粘剤、誤食防止剤、香料（アセトインなど）、ハエ類の性フェロモン（例えば、（Ｚ）−９−トリコセン）、あるいは他の誘引剤（例えば、フェニル酢酸メチル、フェニル酢酸エチル、フェニル酢酸プロピル、フェニル酢酸フェネチル等）等」が知られている。
【００３０】
更に、「ハエの誘引活性を高めるために、誘引剤を色素により赤色系等に着色」も有効である。「他の食餌誘引剤として、果実（メロン、バナナ、イチゴなど）及びその抽出物や加工品、醸造品（黒酢、みそ、しょうゆなど）、醸造酒（ビール、ワイン、日本酒、果実酒など）、蒸留酒（ウイスキー、焼酎、ウォッカなど）」が知られている。
【００３１】
捕虫シート１０１にはシート状の蓄光材１０２が貼り付けられ、あるいは塗布され、あるいは捕虫シート１０１自体が蓄光材からなる。蓄光材１０２の周囲は透明部分１０３が形成される。蓄光材１０２としては、硫化亜鉛(ZnS系)やアルミン酸ストロンチウム (SrAl2O4系)が知られる。捕虫シート１０１上からも粘着剤は塗布される。
蓄光材１０２の発光作用により、昼間は蓄光し、暗くなると発光して虫を集めることができる。
【００３２】
捕虫シート１０１には、引掛孔１０４を設ける。引掛孔１０４は、捕虫シート１０１を構成するシート状の基材に撃ち抜かれて形成される孔である。引掛孔１０４は、捕虫シート１０１の両方の短辺の近傍で、その短手方向の略中央の箇所に設ける。
【００３３】
捕虫シート１０１に塗布される粘着剤は、シート状の基材の両面に塗布されることが好ましいが、一方の面のみに塗布されても良い。また、シート状の基材に塗布された粘着剤に対して、剥離紙を重層させておいてもよい。
粘着剤は、シート状の基材において引掛孔１０４の周辺領域を避けた部分に塗布される。粘着剤は、一対の引掛孔１０４の周囲箇所を除く全ての部分に塗布することができる。
【００３４】
捕虫シート保持器具２０１に対する捕虫シート１０１の装着について説明する。捕虫シート１０１を伸長させた状態で捕虫シート保持器具２０１に把持させるに際し、作業者は、まず、捕虫シート１０１を把持して、捕虫シート１０１を伸長する。
このとき、作業者は、捕虫シート１０１のうち引掛孔１０４の近傍を把持して、捕虫シート１０１をその長手方向に引っ張る。これにより、捕虫シート１０１は、その長手方向に延びる。
【００３５】
続いて、作業者は、伸長させた状態の捕虫シート１０１について、その両端部を捕虫シート保持器具２０１の一対の引掛部２０２Ｃのそれぞれに引っ掛ける。捕虫シート１０１の両端部の一例は、捕虫シート１０１に設けられた引掛孔１０４である。これにより、捕虫シート１０１は、それ自身の弾力性により長手方向に縮もうとして、一対の引掛部２０２Ｃの間に張られ、その形状に変形した状態のまま、捕虫シート保持器具２０１に保持され、その形状のままで安定する。
捕虫シート１０１は、このように伸長された状態で捕虫シート保持器具２０１に保持さ
れることで、捕虫シート１０１の両端部が引掛部２０２Ｃに引っ掛けられて固定されることになる。
【００３６】
吸盤２１１は、その全体を、弾力性を有するゴム素材で作ることができる。
次いで、吸盤２１１及びこれを用いての捕虫シート保持器具２０１の設置方法について述べる。本実施の形態の捕虫シート保持器具２０１は、吸盤２１１で、捕虫シート１０１を保持した状態で、様々な場所に設置することができる。すなわち、本実施の形態では、取付部品としての吸盤２１１を用いて、捕虫シート保持器具２０１を捕虫シート保持器具２０１及び捕虫シート１０１を、キッチンのステンレス部分、テーブルの下面、寿司屋等のカウンターの下面、店舗の壁面等に取り付け、捕虫シート１０１を伸長させた状態で配置することができる。
【符号の説明】
【００３７】
１０１    捕虫シート
１０２    蓄光材
２０１    捕虫シート保持器具
２０２Ａ  基部
２０２Ｂ  腕部
２０２Ｃ  引掛部
２０３    部品装着部
２１１    吸盤（取付部品）
【図１】
2016077231.tif 000003
【図２】
2016077231.tif 000004
【図３】
2016077231.tif 000005
【図４】
2016077231.tif 000006
【図５】
2016077231.tif 000007